(57)【要約】【課題】電子部品を格納する筐体の上方に空間がないような場合でもファンケースを簡単な作業で筐体上面に取り付けることができるファンケースの取付構造を提供する。【解決手段】ファンケース４が筐体２上面を前方側から後方側に向かって筐体上面を摺動自在とし、その前面下部に、筐体２の前面上部及び横方向両側の前側上部に重なる固定板部４３を設ける。筐体上面の後辺にストッパ板部２３が立設され、ファンケース４の後面に舌片４４を設け、ストッパ板部に係合孔２４を形成する。固定板部が筐体の前面上部に嵌合すると、舌片が係合孔に係合して冷却ファンが通気口を臨む位置にファンケースが位置決めされ、固定板部を介してファンケースを筐体に固定する固定手段６を備える。【選択図】図１
0003200106.tif 000002
【実用新案登録請求の範囲】
【請求項１】
電子部品を格納する筐体の通気口が開設された上面に対する、冷却ファンを装着したファンケースの取付構造において、
筐体上面の一組の対辺の対向方向を前後方向として、ファンケースが筐体上面を前方側から後方側に向かって筐体上面を摺動自在であり、ファンケースの前面下部に、筐体の前面上部及び横方向両側の前側上部に重なる固定板部が設けられ、
筐体上面の後辺にストッパ板部が立設され、ストッパ板部とファンケースの後面との一方に前後方向に沿ってのびる舌片が形成されると共に、その他方に舌片が係合する係合孔が形成され、
ファンケースを筐体上面を摺動させて固定板部が筐体の前面上部に嵌合すると、舌片が係合孔に係合して冷却ファンが通気口を臨む位置にファンケースが位置決めされ、この状態で、固定板部を介してファンケースを筐体に固定する固定手段を備えることを特徴とするファンケースの取付構造。
【考案の詳細な説明】
【技術分野】
【０００１】
本考案は、電子部品を格納する筐体の通気口が開設された上面に対する、冷却ファンを装着したファンケースの取付構造に関する。
【背景技術】
【０００２】
この種のファンケースの取付構造は例えば特許文献１で知られている。このものでは、筐体上面の一組の対辺の対向方向を前後方向として、筐体上面には、通気口の後方に位置させて２個の係合孔が設けられると共に、係合孔の後縁部に位置させて突片が突設され、そして、通気口の前部の横方向両外側に位置させて２個のボルト孔が設けられている。一方、ファンケースの後面下縁には、係合孔の位置に対応させて後方にのびる２個の舌片が形成されると共に、ボルト孔に対応させてボルト通し孔が形成されている。
【０００３】
ファンケースを筐体に取り付ける場合、ファンケースを水平姿勢から前上がりに傾け、ファンケースの舌片を筐体上面の係合孔に挿入し、その後、ファンケースを水平姿勢に戻して後方に押し、ファンケースの後面を突片に当接させ、舌片を筐体上面の係合孔の後方部の下面に係合させる。このとき、ファンケースのボルト通し孔と筐体上面のボルト孔とが上下方向で一致する。この状態で、ボルトをファンケースのボルト通し孔に通してボルト孔に螺合することで、ファンケースが筐体に取り付けられる。然し、この従来例のものでは、舌片を係合孔に挿入させる際にファンケースを一旦前上がり傾ける必要があるため、筐体の上方にファンケースを傾けることができるだけの空間が必要となるという問題がある。
【先行技術文献】
【特許文献】
【０００４】
【特許文献１】特開２００３−１１３８００号公報
【考案の概要】
【考案が解決しようとする課題】
【０００５】
本考案は、以上の点に鑑み、筐体の上方に空間がないような場合でもファンケースを簡単な作業で筐体上面に取り付けることができるファンケースの取付構造を提供することをその課題とする。
【課題を解決するための手段】
【０００６】
上記課題を解決するために、本考案の電子部品を格納する筐体の通気口が開設された上面に対する、冷却ファンを装着したファンケースの取付構造は、筐体上面の一組の対辺の対向方向を前後方向として、ファンケースが筐体上面を前方側から後方側に向かって筐体上面を摺動自在であり、ファンケースの前面下部に、筐体の前面上部及び横方向両側の前側上部に重なる固定板部が設けられ、筐体上面の後辺にストッパ板部が立設され、ストッパ板部とファンケースの後面との一方に前後方向に沿ってのびる舌片が形成されると共に、その他方に舌片が係合する係合孔が形成され、ファンケースを筐体上面を摺動させて固定板部が筐体の前面上部に嵌合すると、舌片が係合孔に係合して冷却ファンが通気口を臨む位置にファンケースが位置決めされ、この状態で、固定板部を介してファンケースを筐体に固定する固定手段を備えることを特徴とする。
【０００７】
以上によれば、ファンケースを水平姿勢のまま前方側から後方側に向かって筐体上面を摺動させ、固定板部が筐体の前面部に嵌合すると、舌片が係合孔に係合して冷却ファンが通気口を臨む位置にファンケースが位置決め設置される。そして、筐体の前面側から、固定手段により固定板部を介してファンケースを筐体に固定すれば、筐体上面に対するファンケースの取付が完了する。この場合、冷却ファンが通気口を臨む位置への筐体上面に対するファンケースの設置と、固定手段によるファンケースの筐体への固定とが筐体の前面側から行うことができ、しかも、筐体上面に対するファンケースの設置に際してはファンケース自体を傾ける必要がなく、結果として、筐体の上方に空間がないような場合でもファンケースを簡単な作業で筐体に取り付けることができる。
【図面の簡単な説明】
【０００８】
【図１】本考案の実施形態のファンケースの取付構造が採用された筐体を有する制御ボックスを一部省略及び分解して示す斜視図。
【図２】図１の一部を拡大して筐体上面に対するファンケースの取付状態を示す斜視図。
【考案を実施するための形態】
【０００９】
以下、図面を参照して、本考案のファンケースの取付構造の実施形態を説明する。以下においては、図１中、ファンケースが筐体上面の左下側から右上側に向かって摺動するものとし、この摺動方向を筐体上面の一組の対辺の対向方向である前後方向とし、また、図１に示す姿勢を基準として上、下と言った方向を示す語を用いるものとする。
【００１０】
図１を参照して、１は、例えば鉄道車両の床下に設置される制御ボックスである。制御ボックス１の上面には矩形の取付開口（図示せず）が等間隔で複数設けられ、各取付開口には、スリット孔１１を列設した蓋板１２が夫々装着されている。そして、制御ボックス１内には、半導体素子、トランス、コンデンサ、抵抗等のような複数の電子部品（図示せず）を格納した筐体２が各蓋板１２の直下に位置させて夫々設置され、各筐体２上面に、冷却ファン３を装着したファンケース４が取り付けられている。以下、図２も参照して、本実施形態のファンケース４の取付構造を具体的に説明する。
【００１１】
筐体２は箱状のものであり、その上面には２個の円形の通気口２１，２２が開設されている。一方、ファンケース４は、上面が開口された箱状の枠体４１と、上面開口を覆う蓋体４２とを備え、枠体４１内に冷却ファン３を設置した後、蓋体４２を取り付けて構成される。これにより、ファンケース４が、その枠体４１の底面を介して筐体２上面を摺動自在となる。なお、図１中、５は、冷却ファン３と蓋部４２とを枠体４１や蓋部４２に固定するためのビスである。
【００１２】
枠体４１の底面には、筐体２の通気口２１，２２に夫々連通する円形開口４１ａ,４１ｂが開設され、蓋部４２にもまた、円形開口４１ａ,４１ｂに上下方向に一致させて円形開口４２ａ,４２ｂが開設されている。そして、冷却ファン３は、その回転羽根３１が両円形開口４１ａ,４１ｂ，４２ａ,４２ｂを夫々臨むように枠体４１内に設置される。これにより、電子部品の通電により発熱したとき、回転羽根３１の回転により筐体２内の熱気を蓋板１２のスリット孔１１を介して制御ボックス１の外部に排出できるようにしている。なお、冷却ファン３としては市販のものが利用できるため、その構造の具体的な説明は省略する。
【００１３】
ここで、制御ボックス１内に各筐体２を設置した状態では、制御ボックス１の天板１ａとファンケース４との間に空間が殆どないことがある。一方で、冷却ファン３は、回転羽根３１の回転軸を支持する軸受等の部品が熱で劣化し易く、故障時または定期的に交換される。このため、制御ボックス１内で筐体２の上方に空間がないような場合でもファンケース４を簡単な作業で筐体２上面に取り付けまたは取り外しできるように構成しておく必要がある。
【００１４】
本実施形態では、ファンケース４の前面下部に固定板部４３を設けている。固定板部４３は、筐体２の前面上部に重なる前板４３ａと横方向両側の前側上部に重なる２枚の側板４３ｂとで構成される。また、ファンケース４の枠体４１の後面における枠体４１底面からの高さが、その前面及び両側面と比較して低く形成され、その上辺の所定位置に前後方向にのびる２個の舌片４４が設けられている。他方、筐体２上面の後辺には、枠体４１の前面及び両側面の高さと同等のストッパ板部２３が立設され、ストッパ板部２３に舌片４４が係合する係合孔２４が形成されている。
【００１５】
筐体２上面にファンケース４を取り付ける場合、ファンケース４をその後端側から水平姿勢のまま制御ボックス１の天板１ａと筐体２の上面との間の空間に挿入し、前方側から後方側に向かって筐体２上面を摺動させる。そして、固定板部４３の前板４３ａと側板４３ｂとが筐体２の前面上部及び横方向両側の前側上部に重なって固定板部４３が筐体２の前面部に嵌合すると、舌片４４が係合孔２４に係合する。これにより、各冷却ファン３が通気口２１，２２を夫々臨む位置にファンケース４が位置決め設置される。最後に、固定手段としてのボルト６により、固定板部４３を介してファンケース４を筐体２の前面に固定する。この場合、筐体２前面の所定位置には、ボルト６が螺合する図示省略のねじ孔が設けられている。
【００１６】
以上によれば、冷却ファン３が通気口２１，２２を臨む位置への筐体２上面に対するファンケース４の設置と、ボルト６によるファンケース４の筐体２への固定とが筐体２の前面側から行うことができ、しかも、筐体２上面に対するファンケース４の設置に際してはファンケース２自体を傾ける必要がなく、結果として、筐体２の上方に空間がないような場合でもファンケース４を簡単な作業で筐体２に取り付け、取り外しすることができる。
【００１７】
以上、本考案の実施形態について図面を参照して説明したが、本考案は、これに限定されるものではなく、ファンケースの形態や筐体の形態につき、本考案の趣旨を変えない範囲で種々の変形が可能である。例えば、上記実施形態では、舌片４４をファンケース４に設けると共に、舌片４４が係合する係合孔２４を筐体２に設けるものを例に説明したが、ファンケースに係合孔を設け、筐体に舌片を設けることができる。また、ボルト６により固定板部４３を介してファンケース４を筐体２の前面に固定するものを例に説明したが、固定手段はこれに限定されるものではない。
【符号の説明】
【００１８】
２…筐体、２１，２２…通気口、２３…ストッパ板部、２４…係合孔、３…冷却ファン、４…ファンケース、４３…固定板部、４４…舌片、６…ボルト（固定手段）。
【図１】
0003200106.tif 000003
【図２】
0003200106.tif 000004